(57)【要約】【課題】長期間にわたりダニ捕獲性能を維持し、十分な量のダニを捕獲する。【解決手段】発明によるダニシートは、ロ字状またはコ字状に形成され、両面または片面に粘着層を有する粘着シートと、ダニ誘引剤を収納し、粘着シートの中央部に配置される誘引剤収納具と、多孔質で通気性のある素材を２層にして成り、粘着シートおよび誘引剤収納具を挟持する通気層とを具備し、ダニ誘引剤で誘引したダニを、粘着層に粘着させることにより捕獲することを特徴とする。【選択図】図１
2009089610.tif 000002
【特許請求の範囲】
【請求項１】
上辺、下辺、左辺および右辺から成るロ字状に形成され、両面または片面に粘着層を有する粘着シートと、
ダニ誘引剤を収納し、前記粘着シートの中央部に配置される誘引剤収納具と、
多孔質で通気性のある素材を２層にして成り、前記粘着シートおよび前記誘引剤収納具を挟持する通気層とを具備し、
前記ダニ誘引剤で誘引したダニを、前記粘着層に粘着させることにより捕獲することを特徴とするダニシート。
【請求項２】
上辺、左辺および右辺から成るコ字状に形成され、両面または片面に粘着層を有する粘着シートと、
ダニ誘引剤を収納し、前記粘着シートの中央部に配置される誘引剤収納具と、
多孔質で通気性のある素材を２層にして成り、前記粘着シートおよび前記誘引剤収納具を挟持する通気層とを具備し、
前記ダニ誘引剤で誘引したダニを、前記粘着層に粘着させることにより捕獲することを特徴とするダニシート。
【請求項３】
前記ダニ誘引剤が、ナノナール、ゲラニル、ココナツオイル、および／またはバニラオイルであることを特徴とする請求項１または請求項２に記載のダニシート。
【請求項４】
前記通気層が、布地または通気性のある不織布であることを特徴とする請求項１または請求項２に記載のダニシート。
【発明の詳細な説明】
【技術分野】
【０００１】
本発明は、屋内のダニを誘引して捕獲するダニシートに関するものである。
【背景技術】
【０００２】
近年のアルミサッシの普及により住宅室内の気密性が確保されるようになり、ダニの生息に適した環境が作り出され、ダニが繁殖し易くなっている。そのために、布団、マット、絨毯等に多数のダニが繁殖し、それがアトビー性皮膚炎や気管支喘息等を誘引する原因になっていると考えられている。
ダニ繁殖への対策としていくつかの方法が提案されているが、その中で殺ダニ剤を散布してダニを殺す方法は、殺ダニ剤の強い毒性により居住環境を汚染すると言う弊害がある。特に、殺ダニ剤は肌が直接接触する寝具類には使用できず、ダニの一番多く生息する箇所が野放し状態であった。更に、ツメダニ、ヤケヒョウダニなどには殺ダニ剤の効果がほとんど無く、これらのダニを有効に死滅させることはできなかった。
また、ダニ忌避剤を利用する方法では、ダニ忌避剤がダニを寄せ付けないように作用するだけなので、ダニがダニ忌避剤の周囲に近づかずに他の箇所に移動するだけの効果しか得られず、ダニを捕獲して死滅させることはできなかった。
【特許文献１】特許第３８４８８４２号公報
【特許文献２】特許第３２０５７３６号公報
【発明の開示】
【発明が解決しようとする課題】
【０００３】
また、ダニ繁殖への対策として、ダニを捕獲して死滅させるダニ捕獲シートも提案されているが、従来より提案されているダニ捕獲シートの構造では、捕獲性能が短期間で劣化するために、十分な量のダニを捕獲できない欠点があった。
【課題を解決するための手段】
【０００４】
この目的を達成するために、請求項１の発明によるダニシートは、上辺、下辺、左辺および右辺から成るロ字状に形成され、両面または片面に粘着層を有する粘着シートと、ダニ誘引剤を収納し、粘着シートの中央部に配置される誘引剤収納具と、多孔質で通気性のある素材を２層にして成り、粘着シートおよび誘引剤収納具を挟持する通気層とを具備し、ダニ誘引剤で誘引したダニを、粘着層に粘着させることにより捕獲することを特徴とする。
請求項２の発明によるダニシートは、上辺、左辺および右辺から成るコ字状に形成され、両面または片面に粘着層を有する粘着シートと、ダニ誘引剤を収納し、粘着シートの中央部に配置される誘引剤収納具と、多孔質で通気性のある素材を２層にして成り、粘着シートおよび誘引剤収納具を挟持する通気層とを具備し、ダニ誘引剤で誘引したダニを、粘着層に粘着させることにより捕獲することを特徴とする。
請求項３の発明によるダニシートは、請求項１または請求項２において、ダニ誘引剤が、ナノナール、ゲラニル、ココナツオイル、および／またはバニラオイルであることを特徴とする。
請求項４の発明によるダニシートは、請求項１または請求項２において、通気層が、布地または通気性のある不織布であることを特徴とする。
【発明の効果】
【０００５】
本発明のダニシートは、ダニ誘引剤収納具を囲むようにして、大きな面積を有する粘着シートを配置して、粘着シートの両面または片面の粘着層にダニを粘着させることにより捕獲するようにしたので、長期間にわたりダニ捕獲性能を維持し、十分な量のダニを捕獲することが可能となる。
【発明を実施するための最良の形態】
【０００６】
以下、本発明の実施の形態を図面に基づいて説明する。
【実施例１】
【０００７】
図１および図２は、本発明によるダニシートの実施例１を示す断面図および正面図であり、図１は図２に示すＡ−Ａ線断面図である。
【０００８】
図１において、通気層１ａ〜１ｂは、多孔質で通気性のある素材、例えば綿布地を２層にして成り、内側に収納した粘着シート２および誘引剤収納具３を挟持する。挟持する状態は、通気層１ａ〜１ｂの周囲を縫合することによって形成される。粘着シート２は、図２に示すように、上辺、下辺、左辺および右辺から成るロ字状に形成され、両面に粘着層２ａ〜２ｂ（図１参照）を有する。
【０００９】
誘引剤収納具３は、ナノナール、ゲラニル、ココナツオイル、および／またはバニラオイルを顆粒状にしたダニ誘引剤４を収納し、粘着シート２の中央部に左辺および右辺を掛け渡すようにして配置される。本実施例で誘引剤収納具３は、粘着シート２の左辺および右辺の粘着層２ａを利用して粘着することによって粘着シート２に固定される。
【００１０】
粘着シート２が、図２に示すように、上辺、下辺、左辺および右辺から成るロ字状に形成される結果として中央部に貫通孔２ｃが形成され、この貫通孔２ｃを介してダニ誘引剤４が発する香いが、通気層１ａ〜１ｂの表裏に発散される。ダニ誘引剤４が発する香いに誘引されたダニは、通気層１ａ〜１ｂの隙間から侵入して粘着層２ａ〜２ｂに粘着捕獲され死滅する。
【００１１】
本発明によるダニシートは、大きな面積を有する粘着シートの粘着層にダニを粘着させることにより捕獲するようにしたので、布団、マット、絨毯などの下に置いておくだけで、長期間にわたりダニ捕獲性能を維持し、十分な量のダニを捕獲することが可能となる。
【００１２】
なお、上記の実施例１では、通気層１ａ〜１ｂが粘着シート２および誘引剤収納具３を挟持する状態は、通気層１ａ〜１ｂの周囲を縫合することによって形成されるものとして説明したが、粘着シート２の粘着層２ａ〜２ｂに通気層１ａ〜１ｂを貼着することによって、粘着シート２および誘引剤収納具３を挟持するようにしても良い。また、粘着シート２は、両面に粘着層２ａ〜２ｂを有するものとして説明したが、粘着層は片面であっても良い。片面粘着シートでも、両面粘着シートに対して半分程度の捕獲性能は確保できる。
【実施例２】
【００１３】
図３および図４は、本発明によるダニシートの実施例２を示す正面図であり、図１は図３に示すＡ−Ａ線断面図である。図中、図１〜図２と同じ構成部分には同じ参照番号を付して重複した説明を省略する。実施例２では、実施例１よりも粘着シートを効率良く切り出すようにしている。即ち、実施例１における粘着シート２は、中央部に貫通孔２ｃを形成するようにしているが、貫通孔２ｃを形成するために切り出した部分が無駄になる。そこで実施例２では、無駄になる部分が少なくなるようにしている。
【００１４】
図３において、粘着シート２１は、上辺、左辺および右辺から成るコ字状に形成され、両面に粘着層２１ａ〜２１ｂ（図１の粘着層２ａ〜２ｂに相当）を有する。コ字状に形成する理由は、図４に示すように、一枚のシートから粘着シート２１を効率的に、即ち無駄になる部分が少なくなるように切り出すためである。
【実施例３】
【００１５】
図５および図６は、本発明によるダニシートの実施例３を示す正面図であり、図１は図５に示すＡ−Ａ線断面図である。図中、図１〜図２と同じ構成部分には同じ参照番号を付して重複した説明を省略する。実施例３では、実施例２よりも粘着シートを更に効率良く切り出すようにしている。即ち、実施例２における粘着シート２１は、同じ形になるように切り出しているが、そのために残存部分２１ｄ（図４）が無駄になる。そこで実施例３では、無駄になる部分が更に少なくなるようにしている。
【００１６】
図５において、粘着シート２２は、上辺、左辺および右辺から成るコ字状（７字状）に形成され、両面に粘着層２２ａ〜２２ｂ（図１の粘着層２ａ〜２ｂに相当）を有する。コ字状（７字状）に形成する理由は、図４に示すように、一枚のシートから粘着シート２２を効率的に、即ち無駄になる部分が少なくなるように切り出すためであり、かつ実施例２で生じていた残存部分２１ｄ（図４）も粘着シート２２として有効に理由するためである。
【図面の簡単な説明】
【００１７】
【図１】ダニシートの実施方法を示した断面図である。（実施例１〜３）
【図２】ダニシートの実施方法を示した正面図である。（実施例１）
【図３】ダニシートの実施方法を示した正面図である。（実施例２）
【図４】ダニシートの実施方法を示した正面図である。（実施例２）
【図５】ダニシートの実施方法を示した正面図である。（実施例３）
【図６】ダニシートの実施方法を示した正面図である。（実施例３）
【符号の説明】
【００１８】
１ａ  通気層
１ｂ  通気層
２    粘着シート
２ａ  粘着層
２ｂ  粘着層
２ｃ  貫通孔
３    誘引剤収納具
４    ダニ誘引剤
２１    粘着シート
２１ａ  粘着層
２１ｂ  粘着層
２１ｄ  残存部分
２２    粘着シート
２２ａ  粘着層
２２ｂ  粘着層
【図１】
2009089610.tif 000003
【図２】
2009089610.tif 000004
【図３】
2009089610.tif 000005
【図４】
2009089610.tif 000006
【図５】
2009089610.tif 000007
【図６】
2009089610.tif 000008
【手続補正書】
【提出日】平成20年6月13日(2008.6.13)
【手続補正１】
【補正対象書類名】特許請求の範囲
【補正対象項目名】請求項３
【補正方法】変更
【補正の内容】
【請求項３】
前記ダニ誘引剤が、ノナナール、ゲラニル、ココナツオイル、および／またはバニラオイルであることを特徴とする請求項１または請求項２に記載のダニシート。
【手続補正２】
【補正対象書類名】明細書
【補正対象項目名】０００４
【補正方法】変更
【補正の内容】
【０００４】
この目的を達成するために、請求項１の発明によるダニシートは、上辺、下辺、左辺および右辺から成るロ字状に形成され、両面または片面に粘着層を有する粘着シートと、ダニ誘引剤を収納し、粘着シートの中央部に配置される誘引剤収納具と、多孔質で通気性のある素材を２層にして成り、粘着シートおよび誘引剤収納具を挟持する通気層とを具備し、ダニ誘引剤で誘引したダニを、粘着層に粘着させることにより捕獲することを特徴とする。
請求項２の発明によるダニシートは、上辺、左辺および右辺から成るコ字状に形成され、両面または片面に粘着層を有する粘着シートと、ダニ誘引剤を収納し、粘着シートの中央部に配置される誘引剤収納具と、多孔質で通気性のある素材を２層にして成り、粘着シートおよび誘引剤収納具を挟持する通気層とを具備し、ダニ誘引剤で誘引したダニを、粘着層に粘着させることにより捕獲することを特徴とする。
請求項３の発明によるダニシートは、請求項１または請求項２において、ダニ誘引剤が、ノナナール、ゲラニル、ココナツオイル、および／またはバニラオイルであることを特徴とする。
請求項４の発明によるダニシートは、請求項１または請求項２において、通気層が、布地または通気性のある不織布であることを特徴とする。
【手続補正３】
【補正対象書類名】明細書
【補正対象項目名】０００９
【補正方法】変更
【補正の内容】
【０００９】
誘引剤収納具３は、ノナナール、ゲラニル、ココナツオイル、および／またはバニラオイルを顆粒状にしたダニ誘引剤４を収納し、粘着シート２の中央部に左辺および右辺を掛け渡すようにして配置される。本実施例で誘引剤収納具３は、粘着シート２の左辺および右辺の粘着層２ａを利用して粘着することによって粘着シート２に固定される。